(57)【要約】【課題】配線抵抗に起因したクロストークを防止する。【解決手段】平面表示装置は複数の走査線Ｙと、複数の走査線Ｙに交差する複数の信号線Ｘと、複数の走査線Ｙおよび複数の信号線Ｘとの交差位置に配置され各々一対の走査線Ｙおよび信号線Ｘ間の画素電圧に対応して駆動される複数の表示画素ＰＸと、複数の走査線Ｙを順次駆動する走査線ドライバ３とを備える。この平面表示装置はさらに走査線ドライバ３によって各走査線Ｙが駆動される間に映像信号に対応する第１ＰＷＭ駆動信号および少なくともこの走査線Ｙの配線抵抗に依存した電圧降下によって第１ＰＷＭ駆動信号に対して走査線Ｙに沿った１水平ラインの表示画素ＰＸ間に生じる輝度差を補償する第２ＰＷＭ駆動信号を順次出力するようにして複数の信号線Ｘをそれぞれ駆動する信号線ドライバ２を備える。【選択図】図１
2006171341.tif 000002
【特許請求の範囲】
【請求項１】
複数の走査線と、前記複数の走査線に交差する複数の信号線と、前記複数の走査線および前記複数の信号線との交差位置に配置され各々一対の走査線および信号線間の画素電圧に対応して駆動される複数の表示画素と、前記複数の走査線を順次駆動する走査線ドライバと、前記走査線ドライバによって各走査線が駆動される間に映像信号に対応する第１駆動信号および少なくともこの走査線の配線抵抗に依存した電圧降下によって前記第１駆動信号に対して走査線に沿った１水平ラインの表示画素間に生じる輝度差を補償する第２駆動信号を順次出力するようにして前記複数の信号線をそれぞれ駆動する信号線ドライバとを備えることを特徴とする平面表示装置。
【請求項２】
前記信号線ドライバは、前記映像信号を保持するメモリと、このメモリからの映像信号を解析して前記第１駆動信号に対して前記１水平ラインの表示画素にそれぞれ生じる輝度低下量に対応した補正量を求めこれら補正量を反映するように補正用映像信号を発生する解析部と、前記メモリからの映像信号および前記解析部からの補正用映像信号に対応して前記第１および第２駆動信号を発生する駆動信号発生部とを含むことを特徴とする請求項１に記載の平面表示装置。
【請求項３】
前記駆動信号発生部は前記メモリからの映像信号および前記解析部からの補正用映像信号をそれぞれパルス幅変調するように構成されることを特徴とする請求項２に記載の平面表示装置。  
【請求項４】
前記信号線ドライバは各信号線の配線抵抗に依存した電圧降下による輝度差をさらに前記第２駆動信号で補償するように構成されることを特徴とする請求項１に記載の平面表示装置。
【請求項５】
前記複数の走査線と、前記複数の走査線に交差する複数の信号線と、前記複数の走査線および前記複数の信号線との交差位置に配置され各々一対の走査線および信号線間の画素電圧に対応して駆動される複数の表示画素とを備える平面表示装置の表示用駆動回路であって、前記複数の走査線を順次駆動する走査線ドライバと、前記走査線ドライバによって各走査線が駆動される間に映像信号に対応する第１駆動信号および少なくともこの走査線の配線抵抗に依存した電圧降下によって前記第１駆動信号に対して走査線に沿った１水平ラインの表示画素間に生じる輝度差を補償する第２駆動信号を順次出力するようにして前記複数の信号線をそれぞれ駆動する信号線ドライバとを備えることを特徴とする表示用駆動回路。
【請求項６】
前記信号線ドライバは、前記映像信号を保持するメモリと、このメモリからの映像信号を解析して前記第１駆動信号に対して前記１水平ラインの表示画素にそれぞれ生じる輝度低下量に対応した補正量を求めこれら補正量を反映するように補正用映像信号を発生する解析部と、前記メモリからの映像信号および前記解析部からの補正用映像信号に対応して前記第１および第２駆動信号を発生する駆動信号発生部とを含むことを特徴とする請求項５に記載の表示用駆動回路。
【請求項７】
前記駆動信号発生部は前記メモリからの映像信号および前記解析部からの補正用映像信号をそれぞれパルス幅変調するように構成されることを特徴とする請求項６に記載の表示用駆動回路。  
【請求項８】
前記信号線ドライバは各信号線の配線抵抗に依存した電圧降下による輝度差をさらに前記第２駆動信号で補償するように構成されることを特徴とする請求項５に記載の表示用駆動回路。
【請求項９】
複数の走査線と、前記複数の走査線に交差する複数の信号線と、前記複数の走査線および前記複数の信号線との交差位置に配置され各々一対の走査線および信号線間の画素電圧に対応して駆動される複数の表示画素とを備える平面表示装置の表示用駆動方法であって、前記複数の走査線を順次駆動し、各走査線が駆動される間に映像信号に対応する第１駆動信号および少なくともこの走査線の配線抵抗に依存した電圧降下によって前記第１駆動信号に対して走査線に沿った１水平ラインの表示画素間に生じる輝度差を補償する第２駆動信号を順次出力するようにして前記複数の信号線をそれぞれ駆動することを特徴とする表示用駆動方法。
【請求項１０】
前記映像信号をメモリに保持し、このメモリからの映像信号を解析して前記第１駆動信号に対して前記１水平ラインの表示画素にそれぞれ生じる輝度低下量に対応した補正量を求めこれら補正量を反映するように補正用映像信号を発生し、前記メモリからの映像信号に対応して前記第１駆動信号を発生し、前記補正用映像信号に対応して前記第２駆動信号を発生することを特徴とする請求項９に記載の表示用駆動方法。
【請求項１１】
前記メモリからの映像信号および補正用映像信号は前記第１および第２駆動信号としてそれぞれパルス幅変調されることを特徴とする請求項１０に記載の表示用駆動方法。  
【請求項１２】
前記第２駆動信号は各信号線の配線抵抗に依存した電圧降下による輝度差をさらに補償するように発生されることを特徴とする請求項９に記載の表示用駆動方法。
【発明の詳細な説明】
【技術分野】
【０００１】
本発明は、複数の表示画素が例えば表面伝導型電子放出素子を用いて構成されるフィールド・エミッション・ディスプレイ（ＦＥＤ）のような平面表示装置、並びにこの平面表示装置の表示用駆動回路および表示用駆動方法に関する。
【背景技術】
【０００２】
ＦＥＤは、一般に表示パネルとこの表示パネルを駆動する駆動回路とを備える。表示パネルは、横（水平）方向に伸びる複数の走査線、これら走査線に交差して縦（垂直）方向に伸びる複数の信号線、並びにこれら走査線および信号線の交差位置に配置される複数の表示画素を含む（例えば、特許文献１参照）。カラー表示用の表示パネルでは、例えば水平方向において隣接する３個の表示画素がカラー表示画素として用いられる。各表示画素は表面伝導型電子放出素子およびこの電子放出素子から放出される電子ビームにより発光する赤（Ｒ）、緑（Ｇ）または青（Ｂ）の蛍光体で構成される。
【０００３】
駆動回路は複数の走査線の一端に接続されるＹドライバと、複数の信号線の一端に接続されるＸドライバを含む。Ｙドライバは走査信号により複数の走査線を順次駆動し、Ｘドライバは各走査線が駆動される間に映像信号の階調レベルに対応したパルス幅の駆動信号により複数の信号線を駆動する。各表示画素は対応信号線および対応走査線間の画素電圧に対応した輝度で発光する。
【特許文献１】特開２００２−２２１９３３号公報
【発明の開示】
【発明が解決しようとする課題】
【０００４】
ところで、各走査線は配線抵抗（すなわち、分布定数ｚ）を持ち、Ｙドライバからの距離によって異なる電圧降下を発生させる。このため、走査線に沿った１水平ラインの表示画素を例えば同一階調レベルの映像信号に対応して駆動しても、これら表示画素を均一な輝度分布で発光させることができない。画素電圧の実効値はＹドライバに近い表示画素ほど高くなり、Ｙドライバから遠い表示画素ほど低くなる。このような輝度傾斜は１水平ラインの表示画素間においてクロストークを発生させる結果となる。
【０００５】
本発明の目的は配線抵抗に起因したクロストークを防止できる平面表示装置、表示用駆動回路、および表示用駆動方法を提供することにある。
【課題を解決するための手段】
【０００６】
本発明の第１観点によれば、複数の走査線と、複数の走査線に交差する複数の信号線と、複数の走査線および複数の信号線との交差位置に配置され各々一対の走査線および信号線間の画素電圧に対応して駆動される複数の表示画素と、複数の走査線を順次駆動する走査線ドライバと、走査線ドライバによって各走査線が駆動される間に映像信号に対応する第１駆動信号および少なくともこの走査線の配線抵抗に依存した電圧降下によって第１駆動信号に対して走査線に沿った１水平ラインの表示画素間に生じる輝度差を補償する第２駆動信号を順次出力するようにして複数の信号線をそれぞれ駆動する信号線ドライバとを備える平面表示装置が提供される。
【０００７】
本発明の第２観点によれば、複数の走査線と、複数の走査線に交差する複数の信号線と、複数の走査線および複数の信号線との交差位置に配置され各々一対の走査線および信号線間の画素電圧に対応して駆動される複数の表示画素とを備える平面表示装置の表示用駆動回路であって、複数の走査線を順次駆動する走査線ドライバと、走査線ドライバによって各走査線が駆動される間に映像信号に対応する第１駆動信号および少なくともこの走査線の配線抵抗に依存した電圧降下によって第１駆動信号に対して走査線に沿った１水平ラインの表示画素間に生じる輝度差を補償する第２駆動信号を順次出力するようにして複数の信号線をそれぞれ駆動する信号線ドライバとを備える表示用駆動回路が提供される。
【０００８】
本発明の第３観点によれば、複数の走査線と、複数の走査線に交差する複数の信号線と、複数の走査線および複数の信号線との交差位置に配置され各々一対の走査線および信号線間の画素電圧に対応して駆動される複数の表示画素とを備える平面表示装置の表示用駆動方法であって、複数の走査線を順次駆動し、各走査線が駆動される間に映像信号に対応する第１駆動信号および少なくともこの走査線の配線抵抗に依存した電圧降下によって第１駆動信号に対して走査線に沿った１水平ラインの表示画素間に生じる輝度差を補償する第２駆動信号を順次出力するようにして複数の信号線をそれぞれ駆動する表示用駆動方法が提供される。
【発明の効果】
【０００９】
これら平面表示装置、表示用駆動回路、および表示用駆動方法では、複数の走査線の各々が駆動される間に映像信号に対応する第１駆動信号および少なくともこの走査線の配線抵抗に依存した電圧降下によって第１駆動信号に対して走査線に沿った１水平ラインの表示画素間に生じる輝度差（輝度傾斜）を補償する第２駆動信号を順次出力することによって複数の信号線がそれぞれ駆動される。従って、複数の信号線が第１駆動信号によって駆動されることによって輝度差が１水平ラインの表示画素間に生じても、この輝度差を第２駆動信号によって打ち消すことが可能である。従って、１水平ラインの表示画素の輝度が配線抵抗に依存しなくなり、この配線抵抗に起因したクロストークを防止できる。
【発明を実施するための最良の形態】
【００１０】
以下、本発明の一実施形態に係る平面表示装置について図面を参照して説明する。この平面表示装置はｎ×ｍドットの解像度を有するフィールド・エミッション・ディスプレイ（ＦＥＤ）装置である。
【００１１】
図１はこの平面表示装置の回路構成を概略的に示す。平面表示装置は表示パネル１、Ｘドライバ２、Ｙドライバ３、および映像処理回路４を備える。表示パネルは横（水平）方向に伸びるｍ本の走査線Ｙ（Ｙ１〜Ｙｍ）、これら走査線Ｙ１〜Ｙｍに交差して縦（垂直）方向に伸びるｎ本の信号線Ｘ（Ｘ１〜Ｘｎ）、並びにこれら走査線Ｙ１〜Ｙｍおよび信号線Ｘ１〜Ｘｎの交差位置に配置されるｍ×ｎ個の表示画素ＰＸを含む。各カラー表示画素は水平方向において隣接する３個の表示画素ＰＸにより構成される。このカラー表示画素では、３個表示画素ＰＸがそれぞれ表面伝導型電子放出素子１１およびこれら電子放出素子１１から放出される電子ビームにより発光する赤（Ｒ）、緑（Ｇ）、および青（Ｂ）の蛍光体１２により構成される。各走査線Ｙは対応水平ラインの表示画素ＰＸの電子放出素子１１に接続される走査電極として用いられ、各信号線Ｘは対応列の表示画素ＰＸの電子放出素子１１に接続される信号電極として用いられる。
【００１２】
Ｘドライバ２、Ｙドライバ３、および映像処理回路４は表示用駆動回路として表示パネル１の周囲に配置される。Ｘドライバ２は信号線Ｘ１〜Ｘｎの一端に接続される信号線ドライバであり、Ｙドライバ３は走査線Ｙ１〜Ｙｍの一端に接続される走査線ドライバである。映像処理回路４は外部の信号源から供給されるＲＧＢ映像信号をデジタル形式で処理する。Ｙドライバ３は走査信号を用いて走査線Ｙ１〜Ｙｍを順次駆動し、Ｘドライバ２は走査線Ｙ１〜Ｙｍの各々がＹドライバ３によって駆動される間に信号線Ｘ１〜Ｘｎを駆動する。
【００１３】
映像処理回路４は例えば１フレーム分のＲＧＢ映像信号のレベルを合計して平均レベルを検出するＡＰＬ検出回路４０、および高輝度部分の面積が多い画像パターンについて輝度を一律に低下させるためにＡＰＬ検出回路４０によって検出された平均レベルに基づいてＲＧＢ映像信号を調整するＡＢＬ回路４１を含む。尚、ＡＰＬ検出回路４０は１または複数フレーム分のＲＧＢ映像信号の平均階調レベルおよび１または複数水平ライン分のＲＧＢ映像信号の平均階調レベルの少なくとも一方を検出するように構成されても良い。また、ＡＰＬ検出回路４０は１または複数フレーム分の映像信号、あるいは１または複数水平ライン分の映像信号の平均階調レベルを複数の表示画素ＰＸに実際に流れる発光電流あるいは放電電流から検出するように構成されても良い。
【００１４】
Ｘドライバ２は映像処理回路４から供給される１水平ライン分の映像信号を水平同期信号ＨＤに同期してサンプリングし保持するラインメモリ２０、およびラインメモリ２０に保持された１水平ライン分の映像信号にそれぞれ対応してｎ個のＰＷＭ駆動信号を発生する駆動信号発生部２１を含む。駆動信号発生部２１は各々対応表示画素ＰＸに対する映像信号の階調レベルに比例するパルス幅のパルス信号を発生するｎ個のパルス幅変調回路２２、および各々対応パルス幅変調回路２２からのパルス信号のパルス幅に等しい期間だけ駆動用基準電圧端子からの基準電圧Ｖrefを信号線Ｘ１〜ＸｎにＰＷＭ駆動信号として出力するｎ個の出力バッファ２３を含む。各パルス幅変調回路２２は例えば映像信号の最小レベルに対応する第０階調から入力映像信号の最大レベルに対応する第１０２３階調までの１０２４階調分のパルス幅を設定可能に構成されている。
【００１５】
Ｙドライバ３は垂直同期信号ＶＤを１水平走査期間毎にシフトしてｍ個の出力端の１つから出力するシフトレジスタ３１、およびこれらｍ個の出力端から走査信号として出力されるパルスにそれぞれ応答して走査信号を１水平走査期間（１Ｈ）づつ走査線Ｙ１〜Ｙｍに出力するｍ個の出力バッファ３２を含む。この走査信号は走査電圧端子から供給される電圧Ｖyonであり、図２に示すように１水平走査期間（１Ｈ）内において出力される。各電子放出素子１１では、信号電極の電圧Ｖrefと走査電極の電圧Ｖyとの和がスレッショルドを越えたときに放電が起き、これにより放出される電子ビームが蛍光体１２を励起する。
【００１６】
図１において、ｚは走査線Ｙ１〜Ｙnの各々において分布する配線抵抗であり、i11からimnはｍ×ｎ個の表面伝導型電子放出素子１１の放電時にそれぞれ流れる発光電流であり、ＶｙはＹドライバ３の出力端電圧であり、ΔＶ１〜ΔＶｍは、ｎ個の表面伝導型電子放出素子１１の放電時に発光電流が走査線Ｙ１〜Ｙnの配線抵抗を介して流れることにより起きる電圧降下の合計値である。
【００１７】
これらΔＶ１，ΔＶ２，ΔＶ３，…ΔＶｍは、次のような値である。
【００１８】
ΔＶ１＝ｚ×i11 ＋２×ｚ×i12＋ - - - - ＋ n×ｚ×i1n
ΔＶ２＝ｚ×i21 ＋２×ｚ×i22＋ - - - - ＋ n×ｚ×i2n
ΔＶ３＝ｚ×i31 ＋２×ｚ×i32＋ - - - - ＋ n×ｚ×i3n 
ΔＶｍ＝ｚ×im1 ＋２×ｚ×im2＋ - - - - ＋ n×ｚ×imn 
各水平ラインの表示画素ＰＸが信号線Ｘ１〜Ｘｎを介して駆動されると、これら表示画素ＰＸのうちで黒表示のものを除いた表示画素ＰＸの電子放出素子１１にそれぞれ発光電流が流れ、さらにこれら発光電流の全てが１走査線Ｙを介してＹドライバ３に流れる。
【００１９】
Ｙドライバ３から遠い表示画素ＰＸほど、配線抵抗および発光電流に依存した電圧降下ΔＶ１〜ΔＶｍの影響を受ける。実際には、各表示画素ＰＸが走査線Ｙの配線抵抗だけでなく信号線Ｘの配線抵抗による電圧降下の影響も受ける。このような、電圧降下があると、表面伝導型電子放出素子１１に加わる画素電圧が低下して本来の発光能力を発揮できない。
【００２０】
このため、Ｘドライバ２は、Ｙドライバ３によって走査線Ｙ１〜Ｙｍの各々が駆動される間に映像信号の階調レベルに対応するパルス幅の第１ＰＷＭ駆動信号およびこの走査線の配線抵抗に依存した電圧降下によって第１ＰＷＭ駆動信号に対してこの走査線に沿った１水平ラインの表示画素ＰＸ間に生じる輝度差を補償する第２ＰＷＭ駆動信号を順次出力して複数の信号線Ｘ１〜Ｘｎをそれぞれ駆動するように構成される。具体的には、Ｘドライバ２が例えば水平同期信号ＨＤを所定時間ＤＬだけ遅延させて遅延信号ＨＤ’を発生する遅延回路２４、およびラインメモリ２０から並列的に出力される１水平ライン分の映像信号を解析して１水平ライン分の補正用映像信号を発生する解析部２５をさらに含む。Ｙドライバ３は、遅延回路２４からの遅延信号ＨＤ’により制御されるスイッチＳＷを介して電圧Ｖyon用の走査電圧端子に接続されている。ここで、スイッチＳＷは遅延信号ＨＤ’のパルス期間だけ非導通となる。これにより、走査信号の持続期間、すなわち走査線Ｙの駆動期間は図２に示すように第１駆動期間と第２駆動期間とに２分割される。解析部２５はこの走査線の配線抵抗に依存した電圧降下によって第１ＰＷＭ駆動信号に対してこの走査線に沿った１水平ラインの表示画素ＰＸにそれぞれ生じる輝度低下量に対応した補正量を解析結果として求め、これら補正量を反映するように１水平ライン分の補正用映像信号を発生する。ｎ個のパルス幅変調回路２２は、第１駆動期間の開始タイミングでラインメモリ２０から並列的に出力される１水平ライン分の映像信号に対してパルス幅変調を行ってｎ個の出力バッファ２３から第１ＰＷＭ駆動信号を並列的に出力させ、この間に解析部２５から並列的に出力される１水平ライン分の補正用映像信号に対して遅延回路２４からの遅延信号ＨＤ’のパルス後縁に一致する第２駆動期間の開始タイミングでパルス幅変調を行ってｎ個の出力バッファ２３から第１ＰＷＭ駆動信号を並列的に出力させる。
【００２１】
図２に示すように、第１ＰＷＭ駆動信号のパルス幅は第０階調のときに０に設定され、第１階調のときにＴに設定され、第ｊ階調のときにＴのｊ倍に設定される。ここで、Ｔは上述の第１駆動期間の例えば１／１０２３に等しい期間に予め設定されている。これにより、映像信号の階調レベルが最大となる第１０２３階調のときでも、第１ＰＷＭ駆動信号のパルス幅が上述の所定時間ＤＬを超えることはない。また、第２ＰＷＭ駆動信号のパルス幅は補正用映像信号に依存するが、この補正用映像信号の最大レベルはＹドライバ３から最も遠い表示画素ＰＸで生じる輝度低下量に対応した補正量によって制限される。すなわち、第２ＰＷＭ駆動信号は第１ＰＷＭ駆動信号のように１０２４階調分のパルス幅を必要としないため、第２駆動期間は第１駆動期間よりも短く設定されている。
【００２２】
例えば、走査線Ｙ１〜Ｙｍの各々の配線抵抗による輝度傾斜は、図３に示すように第１ＰＷＭ駆動信号および第２ＰＷＭ駆動信号を１水平走査期間内において順次信号線Ｘ１〜Ｘｎの各々に出力することにより解消可能である。図３では、映像信号が走査線Ｙ１に接続される１水平ラインの表示画素ＰＸの全てに対して最大階調レベル（第１０２３階調）に設定されている。この場合、第１ＰＷＭ駆動信号のパルス幅は一定であり、第２ＰＷＭ駆動信号のパルス幅はＹドライバ３から遠いほど大きい。また、図４では、映像信号が走査線Ｙ１に接続される１水平ラインの表示画素ＰＸの全てに対して中間階調レベル（第５１１階調）に設定されている。この場合でも、第１ＰＷＭ駆動信号のパルス幅は一定であり、第２ＰＷＭ駆動信号のパルス幅はＹドライバ３から遠いほど大きい。但し、映像信号の階調レベルが低下しているため、第２ＰＷＭ駆動信号のパルス幅に反映された補正量も低下している。
【００２３】
解析部２５では、ラインメモリ２０から出力される１水平ライン分の映像信号が例えば図５に示すように全て最大階調レベルである場合に図６に示すようにＹドライバ３からの距離に対応して異ならせた補正量を１水平ライン分の補正用映像信号の階調レベルとしてそれぞれ設定する。これら補正量は第１ＰＷＭ駆動信号を信号線Ｘ１〜Ｘｎに出力した場合に図７に破線で示すようにＹドライバ３からの距離に対応して生じる輝度低下量に一致するように第２ＰＷＭ駆動信号に反映されて信号線Ｘ１〜Ｘｎに出力される。ここでは、第２ＰＷＭ駆動信号が第１ＰＷＭ駆動信号と同様に配線抵抗の影響を受けることも考慮されなくてはならない。この結果、走査線Ｙ１の配線抵抗によって生じる１水平ラインの表示画素ＰＸ間の輝度差が打ち消され、これら表示画素ＰＸを図７に実線で示すように均一な最大輝度レベルで発光させる。
【００２４】
上述の実施形態の平面表示装置では、複数の走査線Ｙ１〜Ｙｍの各々が駆動される１水平走査期間において順次出力される第１および第２ＰＷＭ駆動信号によって複数の信号線Ｘ１〜Ｘｎがそれぞれ駆動される。このため、第１ＰＷＭ駆動信号で駆動することによって輝度差が１水平ラインの表示画素間に生じても、第２ＰＷＭ駆動信号で駆動することによりこの輝度差を打ち消して１水平ラインの表示画素の輝度を均一に維持することができる。従って、駆動走査線の配線抵抗に起因する輝度傾斜を低減することができる。従って、駆動走査線の配線抵抗に起因したクロストークを防止できる。
【００２５】
尚、本発明は上述の実施形態に限定されず、その要旨を逸脱しない範囲で様々に変形可能である。
【００２６】
本発明は例えばＹドライバ３を走査線Ｙ１〜Ｙｍの片側のみに配置される方式だけでなく、２個のＹドライバを走査線Ｙ１〜Ｙｍの両側に配置する方式にも適用できる。この場合、走査線Ｙ１〜Ｙｍの中央で最も電圧降下が大きくなる。従って、１水平ライン分の補正用映像信号もこれらの電圧降下分布に合致するように設定される必要がある。
【００２７】
また、上述の実施形態では、Ｘドライバ２が各表示画素ＰＸの輝度をＰＷＭ駆動信号のパルス幅によって可変するように構成されているが、ＰＷＭ駆動信号のパルス幅および電圧振幅によって可変するように構成されてもよい。
【００２８】
また、１水平ラインの表示画素ＰＸとＸドライバ２との距離（配線長）は走査線Ｙ１，Ｙ２，Ｙ３，…，Ｙｍが順番に駆動される場合に一定の割合で増加するため、解析部２５は走査線Ｙ１に接続される１水平ラインの表示画素ＰＸとＹドライバ３との距離だけでなくＸドライバ２との距離を１水平ライン分の補正用映像信号に反映させてもよい。これにより、走査線Ｙに沿った方向の輝度傾斜および信号線Ｘに沿った方向の輝度傾斜の両方を低減できる。
【図面の簡単な説明】
【００２９】
【図１】本発明の一実施形態に係る平面表示装置の回路構成を概略的に示す図である。
【図２】図１に示す平面表示装置において発生される第１ＰＷＭ駆動信号のパルス幅について説明するためのタイムチャートである。
【図３】図２に示す第１ＰＷＭ駆動信号のパルス幅を最大にした場合に設定される第２ＰＷＭ駆動信号のパルス幅を示す図である。
【図４】図２に示す第１ＰＷＭ駆動信号のパルス幅を半分にした場合に設定される第２ＰＷＭ駆動信号のパルス幅を示す図である。
【図５】図１に示すラインメモリから出力される１水平ライン分の映像信号がすべて最大階調レベルに設定された状態を示すグラフである。
【図６】図５に示す映像信号の最大レベルに対応して発生される１水平ライン分の補正用映像信号の補正量を示すグラフである。
【図７】走査線の配線抵抗によって１水平ラインの表示画素間に生じる輝度差が打ち消された状態を示すグラフである。
【符号の説明】
【００３０】
１…表示パネル、２…Ｘドライバ、３…Ｙドライバ、４…映像処理回路、１１…表面伝導型電子放出素子、１２…蛍光体、２０…ラインメモリ、２２…パルス幅変調回路、２３…出力バッファ、２４…遅延回路、２５…解析部、４０…ＡＰＬ検出回路、４１…ＡＢＬ回路、Ｘ…信号線、Ｙ…走査線、ＰＸ…表示画素、、ＳＷ…スイッチ。
【図１】
2006171341.tif 000003
【図２】
2006171341.tif 000004
【図３】
2006171341.tif 000005
【図４】
2006171341.tif 000006
【図５】
2006171341.tif 000007
【図６】
2006171341.tif 000008
【図７】
2006171341.tif 000009